(57)【要約】  本発明の異方導電性接着剤組成物は、第一の基板の主面上に第一の回路電極が形成された第一の回路部材と、第二の基板の主面上に第二の回路電極が形成された第二の回路部材とを、上記第一の回路電極及び上記第二の回路電極を対向配置させた状態で接続するための異方導電性接着剤組成物であって、接着剤と、導電粒子の表面の少なくとも一部が高分子電解質及び無機酸化物微粒子を含む絶縁性材料で被覆された被覆粒子と、を含有するものである。
2008038565.tif 000002
【特許請求の範囲】
【請求項１】
第一の基板の主面上に第一の回路電極が形成された第一の回路部材と、第二の基板の主面上に第二の回路電極が形成された第二の回路部材とを、前記第一の回路電極及び前記第二の回路電極を対向配置させた状態で接続するための異方導電性接着剤組成物であって、
接着剤と、導電粒子の表面の少なくとも一部が高分子電解質及び無機酸化物微粒子を含む絶縁性材料で被覆された被覆粒子と、を含有する、異方導電性接着剤組成物。
【請求項２】
前記被覆粒子が、前記導電粒子の表面の少なくとも一部に前記高分子電解質と前記無機酸化物微粒子とが交互に静電的に吸着されてなるものである、請求項１に記載の異方導電性接着剤組成物。
【請求項３】
前記無機酸化物微粒子が、ケイ素、アルミニウム、ジルコニウム、チタン、ニオブ、亜鉛、錫、セリウム及びマグネシウムからなる群より選択される少なくとも一種の元素を含む酸化物からなるものである、請求項１又は２に記載の異方導電性接着剤組成物。
【請求項４】
前記無機酸化物微粒子の平均粒子径が、２０〜５００ｎｍの範囲内である、請求項１〜３のうちのいずれか一項に記載の異方導電性接着剤組成物。
【請求項５】
前記高分子電解質が、アルカリ金属イオン、アルカリ土類金属イオン及びハロゲン化物イオンを含まないものである、請求項１〜４のうちのいずれか一項に記載の異方導電性接着剤組成物。
【請求項６】
請求項１〜５のうちのいずれか一項に記載の異方導電性接着剤組成物をフィルム状に形成してなる、異方導電性フィルム。
【請求項７】
第一の基板の主面上に第一の回路電極が形成された第一の回路部材と、
第二の基板の主面上に第二の回路電極が形成された第二の回路部材とが、
前記第一及び第二の回路部材の間に設けられた、請求項１〜５のうちのいずれか一項に記載の異方導電性接着剤組成物の硬化物からなる回路接続部材によって、前記第一の回路電極と前記第二の回路電極とが対峙するとともに電気的に接続されるように接続された、回路部材の接続構造。
【請求項８】
前記第一の回路部材において、前記第一の基板がガラス基板であり、且つ、前記第一の回路電極が金属電極回路であり、
前記第二の回路部材において、前記第二の基板が有機質絶縁基板である、請求項７に記載の回路部材の接続構造。
【請求項９】
前記第一の回路部材において、前記第一の基板が半導体チップであり、
前記第二の回路部材において、前記第二の基板がガラス基板であり、且つ、前記第二の回路電極が金属電極回路である、請求項７に記載の回路部材の接続構造。
【請求項１０】
導電粒子の表面の少なくとも一部を絶縁性材料で被覆した被覆粒子の製造方法であって、
前記導電粒子を、高分子電解質を含む溶液に分散させ、該導電粒子の表面の少なくとも一部に前記高分子電解質を吸着させた後、洗浄する第１のステップと、
前記高分子電解質を吸着させた前記導電粒子を、無機酸化物微粒子を含む分散液に分散させ、前記導電粒子及び前記高分子電解質の表面の少なくとも一部に前記無機酸化物微粒子を吸着させた後、洗浄する第２のステップと、
を交互に繰り返す吸着工程を含む、被覆粒子の製造方法。
【発明の詳細な説明】
【技術分野】
【０００１】
本発明は、異方導電性接着剤組成物、異方導電性フィルム、回路部材の接続構造、及び、被覆粒子の製造方法に関し、より詳しくは、回路基板同士又はＩＣチップ等の電子部品と配線基板との接続に用いられる異方導電性接着剤組成物、それを用いた異方導電性フィルム、回路部材の接続構造、及び、被覆粒子の製造方法に関する。
【背景技術】
【０００２】
回路基板同士又はＩＣチップ等の電子部品と回路基板とを電気的に接続する際には、導電粒子を接着剤組成物中に分散させた異方導電性接着剤組成物が用いられている。すなわち、この異方導電接着剤組成物を、上記のような相対峙する回路部材の電極間に配置し、加熱及び加圧することによって電極同士を接続することで、加圧方向に導電性を持たせ、対向する電極間の電気的接続と回路部材同士の固定とを行うことができる（例えば、特許文献１及び２参照）。【０００３】
また、液晶表示用ガラスパネルには、ＣＯＧ（Ｃｈｉｐ−Ｏｎ−Ｇｌａｓｓ）実装又はＣＯＦ（Ｃｈｉｐ−Ｏｎ−Ｆｌｅｘ）実装等によって液晶駆動用ＩＣが実装される。ＣＯＧ実装では、導電粒子を含む異方導電性接着剤組成物を用いて液晶駆動用ＩＣを直接ガラスパネル上に接合する。ＣＯＦ実装では、金属配線を有するフレキシブルテープに液晶駆動用ＩＣを接合し、導電粒子を含む異方導電性接着剤組成物を用いてそれらをガラスパネルに接合する。【０００４】
ところが、近年の液晶表示の高精細化に伴い、ＩＣチップの回路電極である金バンプは狭ピッチ化、狭面積化しており、その他の電子部品も高精細化が進んでおり、そのため、異方導電性接着剤組成物中の導電粒子が隣り合う回路電極間に流出して、ショートを発生させやすいといった問題がある。【０００５】
この問題を解決する方法として、回路接続部材の少なくとも片面に絶縁性の接着層を形成することで、ＣＯＧ実装又はＣＯＦ実装における接合品質の低下を防ぐ方法（例えば、特許文献３参照）や、導電粒子の全表面を絶縁性の皮膜で被覆する方法（例えば、特許文献４参照）が開発されている。また、導電粒子の表面の一部が絶縁性微粒子により被覆された被覆粒子を用いる方法も提案されている（例えば、特許文献５、６参照）。また、このような絶縁性被覆の方法として、ポリアニオン薄膜とポリカチオン薄膜の高分子電解質薄膜を交互に積層する方法が提案されている（例えば、特許文献７参照）。【０００６】
【特許文献１】特許第３５８１６１８号公報
【特許文献２】特許第３６７９６１８号公報
【特許文献３】特開平８−２７９３７１号公報
【特許文献４】特許第２７９４００９号公報
【特許文献５】特開２００５−１９７０８９号公報
【特許文献６】国際公開ＷＯ２００３／０２５９５５号パンフレット
【特許文献７】特開２００３−３１７８２７号公報
【発明の開示】
【発明が解決しようとする課題】
【０００７】
しかしながら、上記特許文献３に記載された、回路接続部材の片面に絶縁性の接着層を形成する方法では、例えばバンプ面積が３０００μｍ２以下であって、安定した接続抵抗を得るために導電粒子数を増やす場合には、隣り合う回路電極間の絶縁性について未だ改良の余地があった。また、上記特許文献４に記載された、導電粒子の全表面を絶縁性の皮膜で被覆する方法では、対向する回路電極間の接続抵抗が上昇し、安定した電気抵抗が得られないという問題がある。更に、上記特許文献５に記載された、導電粒子の表面の一部が絶縁性微粒子により被覆された被覆粒子を用いた場合でも、信頼性試験を繰り返すと抵抗値が上昇してしまうという問題が残っている。また、上記特許文献６に記載された被覆粒子の形成方法は、導電粒子上及び絶縁粒子上に官能基を導入するプロセスが必要であること、またそれぞれの官能基との間の相互作用が弱いために、絶縁粒子が導電粒子上に凝集しにくく、歩留まりが悪い上、絶縁性にバラツキが生じるという課題があった。また、上記特許文献７に記載された被覆粒子の形成方法では、導電粒子の表面を欠陥なく均一に被覆することは可能であるが、対向する回路電極間の接続抵抗が上昇し、安定した電気抵抗が得られないという問題があった。【０００８】
本発明は、上記従来技術の有する課題に鑑みてなされたものであり、接続ピッチが狭ピッチになった場合でも、分散した導電粒子の凝集により隣り合う回路電極間でショートが発生することを十分に抑制することができ、優れた長期接続信頼性を得ることができる異方導電性接着剤組成物、それを用いた異方導電性フィルム、回路部材の接続構造、及び、被覆粒子の製造方法を提供することを目的とする。
【課題を解決するための手段】
【０００９】
上記目的を達成するために、本発明は、第一の基板の主面上に第一の回路電極が形成された第一の回路部材と、第二の基板の主面上に第二の回路電極が形成された第二の回路部材とを、上記第一の回路電極及び上記第二の回路電極を対向配置させた状態で接続するための異方導電性接着剤組成物であって、接着剤と、導電粒子の表面の少なくとも一部が高分子電解質及び無機酸化物微粒子を含む絶縁性材料で被覆された被覆粒子と、を含有する、異方導電性接着剤組成物を提供する。【００１０】
本発明の異方導電性接着剤組成物によれば、通常の導電粒子に代えて上記の被覆粒子を導電性材料として用いているため、接続ピッチが狭ピッチになった場合（例えば、隣接する電極間のスペースが１５μｍ以下の狭スペースになった場合）に被覆粒子が凝集しても、高分子電解質と無機酸化物微粒子とを含む絶縁性材料からなる皮膜によって導電粒子間の絶縁性が保たれ、電極間のショートの発生を十分に抑制することができる。また、対向する電極間においては、回路部材同士を接続する際の圧力によって加圧方向の導電性が得られ、電気的接続が確保される。無機酸化物微粒子を絶縁性材料として用いると、接続工程での加圧、加熱による変形やその戻りが少ないために接続部分の抵抗の上昇やその後の抵抗値の上昇が抑制され、優れた長期接続信頼性を得ることができる。また、絶縁性材料が高分子電解質を含むことにより、導電粒子や絶縁粒子表面に官能基を導入するプロセスが必要ないために、歩留良く製造できる上、絶縁性にバラツキが生じ難い。【００１１】
また、本発明の異方導電性接着剤組成物において、上記被覆粒子は、上記導電粒子の表面の少なくとも一部に上記高分子電解質と上記無機酸化物微粒子とが交互に静電的に吸着されてなるものであることが好ましい。導電粒子の表面に高分子電解質を吸着させることで、高分子電解質と無機酸化物微粒子との間には静電的引力が作用するために、無機酸化物微粒子を導電粒子表面に選択的に吸着させることができる。これは、無機酸化物微粒子が表面に水酸基などの極性基を有しているからであると考えられる。【００１２】
また、本発明の異方導電性接着剤組成物において、上記無機酸化物微粒子は、ケイ素、アルミニウム、ジルコニウム、チタン、ニオブ、亜鉛、錫、セリウム及びマグネシウムからなる群より選択される少なくとも一種の元素を含む酸化物からなるものであることが好ましい。これにより、化学的、熱的に安定な絶縁性粒子として作用させることができる。【００１３】
また、本発明の異方導電性接着剤組成物において、上記無機酸化物微粒子の平均粒子径は、２０〜５００ｎｍの範囲内であることが好ましい。無機酸化物微粒子の平均粒子径が上記範囲内であることにより、隣接する電極間の絶縁性を十分に確保することができるとともに、接続時の加圧方向の導電性を十分に確保することができる。【００１４】
更に、本発明の異方導電性接着剤組成物において、上記高分子電解質は、アルカリ金属イオン、アルカリ土類金属イオン及びハロゲン化物イオンを含まないものであることが好ましい。これにより、エレクトロマイグレーションや腐食の発生を十分に抑制することができる。【００１５】
本発明はまた、上記本発明の異方導電性接着剤組成物をフィルム状に形成してなる、異方導電性フィルムを提供する。【００１６】
かかる異方導電性フィルムによれば、上記本発明の異方導電性接着剤組成物を用いているため、接続ピッチが狭ピッチになった場合でも、分散した導電粒子の凝集により隣り合う回路電極間でショートが発生することを十分に抑制することができ、優れた長期接続信頼性を得ることができる。また、かかる異方導電性フィルムは、フィルム状であるため取扱いが容易である。【００１７】
本発明はまた、第一の基板の主面上に第一の回路電極が形成された第一の回路部材と、第二の基板の主面上に第二の回路電極が形成された第二の回路部材とが、上記第一及び第二の回路部材の間に設けられた、上記本発明の異方導電性接着剤組成物の硬化物からなる回路接続部材によって、上記第一の回路電極と上記第二の回路電極とが対峙するとともに電気的に接続されるように接続された、回路部材の接続構造を提供する。【００１８】
かかる回路部材の接続構造は、回路接続部材が上記本発明の異方導電性接着剤組成物の硬化物からなることから、接続ピッチが狭ピッチになった場合でも、分散した導電粒子の凝集により隣り合う回路電極間でショートが発生することを十分に抑制することができ、優れた長期接続信頼性を得ることができる。【００１９】
ここで、上記第一の回路部材において、上記第一の基板がガラス基板であり、且つ、上記第一の回路電極が金属電極回路であり、上記第二の回路部材において、上記第二の基板が有機質絶縁基板であることが好ましい。これにより、屈曲性に富む有機質絶縁基板とガラス基板との接続が容易に可能となる。【００２０】
また、上記第一の回路部材において、上記第一の基板が半導体チップであり、上記第二の回路部材において、上記第二の基板がガラス基板であり、且つ、上記第二の回路電極が金属電極回路であることが好ましい。これにより、半導体チップを直接ガラス基板上に実装することが容易に可能となる。【００２１】
本発明は更に、導電粒子の表面の少なくとも一部を絶縁性材料で被覆した被覆粒子の製造方法であって、上記導電粒子を、上記高分子電解質を含む溶液に分散させ、該導電粒子の表面の少なくとも一部に上記高分子電解質を吸着させた後、洗浄する第１のステップと、上記高分子電解質を吸着させた上記導電粒子を、無機酸化物微粒子を含む分散液に分散させ、上記導電粒子及び上記高分子電解質の表面の少なくとも一部に上記無機酸化物微粒子を吸着させた後、洗浄する第２のステップと、を交互に繰り返す吸着工程を含む、被覆粒子の製造方法を提供する。【００２２】
かかる被覆粒子の製造方法によれば、上記本発明の異方導電性接着剤組成物に用いられる被覆粒子を効率的に製造することができる。
【発明の効果】
【００２３】
本発明によれば、接続ピッチが狭ピッチになった場合でも、分散した導電粒子の凝集により隣り合う回路電極間でショートが発生することを十分に抑制することができ、優れた長期接続信頼性を得ることができる異方導電性接着剤組成物、それを用いた異方導電性フィルム、回路部材の接続構造、及び、被覆粒子の製造方法を提供することができる。
【図面の簡単な説明】
【００２４】
【図１】本発明における被覆粒子の一例を模式的に示す外観図である。
【図２】本発明における被覆粒子の製造方法の一実施形態を示す工程図である。
【図３】本発明の異方導電性フィルムの好適な一実施形態を示す模式断面図である。
【図４】本発明による回路部材の接続構造の好適な一実施形態を示す模式断面図である。
【符号の説明】
【００２５】
１…被覆粒子、２…接着剤、６…導電粒子、７…高分子電解質、８…無機酸化物微粒子、９…絶縁性材料、１０…第一の回路部材、１１…第一の基板、１２…第一の回路電極、２０…第二の回路部材、２１…第二の基板、２２…第二の回路電極、１００…異方導電性フィルム、１００ａ…回路接続部材、２００…回路部材の接続構造。
【発明を実施するための最良の形態】
【００２６】
以下、場合により図面を参照しながら本発明の好適な実施形態について詳細に説明する。なお、図面中、同一又は相当部分には同一符号を付し、重複する説明は省略する。【００２７】
本発明の異方導電性接着剤組成物は、第一の基板の主面上に第一の回路電極が形成された第一の回路部材と、第二の基板の主面上に第二の回路電極が形成された第二の回路部材とを、上記第一の回路電極及び上記第二の回路電極を対向配置させた状態で接続するための異方導電性接着剤組成物であって、接着剤と、導電粒子の表面の少なくとも一部が高分子電解質及び無機酸化物微粒子を含む絶縁性材料で被覆されてなる被覆粒子と、を含有するものである。【００２８】
本発明の異方導電性接着剤組成物を構成する接着剤としては、例えば、熱反応性樹脂と硬化剤との混合物が用いられる。好ましく用いられる接着剤としては、エポキシ樹脂と潜在性硬化剤との混合物が挙げられる。潜在性硬化剤としては、イミダゾール系、ヒドラジド系、三フッ化ホウ素−アミン錯体、スルホニウム塩、アミンイミド、ポリアミンの塩、ジシアンジアミド等が挙げられる。この他、接着剤としては、ラジカル反応性樹脂と有機過酸化物との混合物や、紫外線などのエネルギー線の照射により硬化する光硬化性樹脂が用いられる。【００２９】
上記エポキシ樹脂としては、エピクロルヒドリンとビスフェノールＡやＦ、ＡＤ等から誘導されるビスフェノール型エポキシ樹脂、エピクロルヒドリンとフェノールノボラックやクレゾールノボラックから誘導されるエポキシノボラック樹脂、ナフタレン環を含んだ骨格を有するナフタレン系エポキシ樹脂、グリシジルアミン、グリシジルエーテル、ビフェニル、脂環式等の１分子内に２個以上のグリシジル基を有する各種のエポキシ化合物等を単独にあるいは２種以上を混合して用いることが可能である。これらのエポキシ樹脂は、不純物イオン（Ｎａ＋、Ｃｌ−等）や、加水分解性塩素等を３００ｐｐｍ以下に低減した高純度品を用いることが、エレクトロマイグレーション防止の観点から好ましい。【００３０】
異方導電性接着剤組成物には、接着後の応力を低減するため、あるいは接着性を向上するために、ブタジエンゴム、アクリルゴム、スチレン−ブタジエン−スチレンゴム、ニトリル−ブタジエンゴム、シリコーンゴム等を混合することができる。また、異方導電性接着剤組成物としてはペースト状またはフィルム状のものが用いられる。異方導電性接着剤組成物をフィルム状にするためには、フェノキシ樹脂、ポリエステル樹脂、ポリアミド樹脂等の熱可塑性樹脂をフィルム形成性高分子として配合することが効果的である。これらのフィルム形成性高分子は、反応性樹脂の硬化時の応力緩和にも効果がある。特に、フィルム形成性高分子が、水酸基等の官能基を有する場合、接着性が向上するためより好ましい。フィルム形成は、これら少なくともエポキシ樹脂、アクリルゴム、潜在性硬化剤からなる接着剤組成物を有機溶剤に溶解あるいは分散することにより液状化して、それを剥離性基材上に塗布し、硬化剤の活性温度以下で溶剤を除去することにより行われる。この時用いる溶剤は、芳香族炭化水素系と含酸素系との混合溶剤が材料の溶解性を向上させるため好ましい。【００３１】
本発明の異方導電性接着剤組成物を構成する被覆粒子は、導電粒子の表面の少なくとも一部が高分子電解質及び無機酸化物微粒子を含む絶縁性材料で被覆されてなるものである。ここで、図１は、本発明における被覆粒子の一例を模式的に示す外観図である。図１に示すように、被覆粒子１は、導電粒子６の表面の少なくとも一部が、高分子電解質７と無機酸化物微粒子８とを含む絶縁性材料９で被覆された構造を有している。なお、本発明において、導電粒子６表面の少なくとも一部が被覆されている状態とは、顕微鏡で確認したときに、図１に示すように、大粒径の粒子上に、小粒径の粒子がまぶされている状態のことを指す。【００３２】
本発明において、被覆粒子１を構成する導電粒子６は、例えば、Ａｕ、Ａｇ、Ｎｉ、Ｃｕやはんだ等の金属を含む粒子であり、ポリスチレン等の高分子からなる球状の核材の表面に、Ａｕ、Ａｇ、Ｎｉ、Ｃｕ、はんだ等の導電層を形成してなる粒子であることがより好ましい。また、導電粒子６は、導電性を有する粒子の表面に、Ｓｕ、Ａｕ、はんだ等の表面層を形成してなるものであってもよい。【００３３】
導電粒子６の粒径は、異方導電性接着剤組成物を用いて接続する回路部材の電極の最小の間隔よりも小さいことが必要であり、且つ、電極の高さにばらつきがある場合、その高さのばらつきよりも大きいことが好ましい。導電粒子６の平均粒径は、１〜１０μｍであることが好ましく、２〜４μｍであることがより好ましい。平均粒径が１μｍ未満であると、粒子の分級が困難となる傾向があり、１０μｍを超えると、狭ピッチの電極間接続においてショートが発生しやすくなる傾向がある。【００３４】
本発明における被覆粒子１は、上記導電粒子６の表面が、高分子電解質７及び無機酸化物微粒子８を含む絶縁性材料９からなる絶縁性皮膜で被覆されてなるものである。ここで、絶縁性材料９としては、高分子電解質７と無機酸化物微粒子８とが交互に積層されたものであることが好ましい。【００３５】
被覆粒子１の具体的な製造方法としては、（１）導電粒子６を、高分子電解質７を含む高分子電解質溶液に分散し、導電粒子６の表面の少なくとも一部に高分子電解質７を吸着させた後、洗浄（リンス）する第１のステップと、（２）高分子電解質７を吸着させた導電粒子６を、無機酸化物微粒子８を含む分散液に分散し、導電粒子６及び高分子電解質７の表面の少なくとも一部に無機酸化物微粒子８を吸着させた後、洗浄（リンス）する第２のステップと、を交互に繰り返す吸着工程を含む方法が好ましく用いられる。【００３６】
上記吸着工程において、第１及び第２のステップは、少なくとも１回ずつ行えばよく、２回以上交互に行ってもよい。第１及び第２のステップを２回以上繰り返す場合には、１回目の第１及び第２のステップ後の高分子電解質７及び無機酸化物微粒子８を吸着させた導電粒子６に対して、再度、第１及び第２のステップにより高分子電解質７及び無機酸化物微粒子８を吸着させる。この第１及び第２のステップを交互に繰り返す吸着工程を含むことにより、導電粒子６の表面が、高分子電解質７と無機酸化物微粒子８とが交互に積層された絶縁性材料９で被覆された被覆粒子１を効率的に製造することができる。ここで、図２は、本発明における被覆粒子１の製造方法の一実施形態を示す工程図である。図２（ａ）〜（ｃ）に示すように、第１のステップにより、導電粒子６の表面の少なくとも一部に高分子電解質７を吸着させ、第２のステップにより、導電粒子６及び高分子電解質７の表面の少なくとも一部に無機酸化物微粒子８を吸着させることで、被覆粒子１を得ることができる。【００３７】
このような方法は、交互積層法（Ｌａｙｅｒ−ｂｙ−Ｌａｙｅｒ  ａｓｓｅｍｂｌｙ）と呼ばれる。交互積層法は、Ｇ．Ｄｅｃｈｅｒらによって１９９２年に発表された有機薄膜を形成する方法である（Ｔｈｉｎ  Ｓｏｌｉｄ  Ｆｉｌｍｓ，  ２１０／２１１，  ｐ８３１（１９９２））。この方法では、正電荷を有するポリマー電解質（ポリカチオン）と負電荷を有するポリマー電解質（ポリアニオン）の水溶液に、基材を交互に浸漬することで基板上に静電的引力によって吸着したポリカチオンとポリアニオンの組が積層して複合膜（交互積層膜）が得られるものである。【００３８】
交互積層法では、静電的な引力によって、基材上に形成された材料の電荷と、溶液中の反対電荷を有する材料とが引き合うことにより膜成長するので、吸着が進行して電荷の中和が起こるとそれ以上の吸着が起こらなくなる。したがって、ある飽和点までに至れば、それ以上膜厚が増加することはない。Ｌｖｏｖらは交互積層法を、微粒子に応用し、シリカやチタニア、セリアの各微粒子分散液を用いて、微粒子の表面電荷と反対電荷を有する高分子電解質を交互積層法で積層する方法を報告している（Ｌａｎｇｍｕｉｒ、Ｖｏｌ．１３、（１９９７）ｐ６１９５−６２０３）。この方法を用いると、負の表面電荷を有するシリカの微粒子とその反対電荷を持つポリカチオンであるポリジアリルジメチルアンモニウムクロライド（ＰＤＤＡ）またはポリエチレンイミン（ＰＥＩ）などとを交互に積層することで、シリカ微粒子と高分子電解質とが交互に積層された微粒子積層薄膜を形成することが可能である。【００３９】
導電粒子６を高分子電解質溶液あるいは無機酸化物微粒子の分散液に浸漬後、反対電荷を有する微粒子分散液あるいは高分子電解質溶液に浸漬する前に、溶媒のみのリンスによって余剰の高分子電解質溶液あるいは無機酸化物微粒子の分散液を洗い流すことが好ましい。このようなリンスに用いる溶媒としては、水、アルコール、アセトンなどがあるが、通常、過剰な高分子電解質溶液あるいは無機酸化物微粒子の分散液の除去の点から、比抵抗値が１８ＭΩ・ｃｍ以上のイオン交換水（いわゆる超純水）が用いられる。導電粒子６に吸着した高分子電解質７及び無機酸化物微粒子８は、互いにまた、導電粒子６表面に静電的に吸着しているために、このリンスの工程で剥離することはない。さらに、無機酸化物微粒子８表面の極性基（主に水酸基）の分極により、導電粒子６表面の例えば金属や部分的な金属酸化物との静電的な相互作用（引力）も作用している。また、反対電荷の溶液に、吸着していない高分子電解質７または無機酸化物微粒子８を持ち込むことを防ぐためにリンスを行うことが好ましい。このリンスを行わない場合は、持ち込みによって溶液内でカチオン、アニオンが混ざり、高分子電解質７と無機酸化物微粒子８との凝集や沈殿を起こすことがある。【００４０】
高分子電解質７としては、水溶液中で電離し、荷電を有する官能基を主鎖または側鎖に持つ高分子（ポリアニオン又はポリカチオン）を用いることができる。この場合、ポリアニオンとしては、一般的に、スルホン酸、硫酸、カルボン酸など負電荷を帯びることのできる官能基を有するものであり、例えば、ポリスチレンスルホン酸（ＰＳＳ）、ポリビニル硫酸（ＰＶＳ）、デキストラン硫酸、コンドロイチン硫酸、ポリアクリル酸（ＰＡＡ）、ポリメタクリル酸（ＰＭＡ）、ポリマレイン酸、ポリフマル酸などが用いられる。また、ポリカチオンとしては、一般に、４級アンモニウム基、アミノ基などの正荷電を帯びることのできる官能基を有するもの、例えば、ポリエチレンイミン（ＰＥＩ）、ポリアリルアミン塩酸塩（ＰＡＨ）、ポリジアリルジメチルアンモニウムクロリド（ＰＤＤＡ）、ポリビニルピリジン（ＰＶＰ）、ポリリジン、ポリアクリルアミド、及びそれらを少なくとも１種以上含む共重合体などを用いることができる。【００４１】
これらの高分子電解質７の中でも、エレクトロマイグレーションや腐食の発生を避けるために、アルカリ金属（Ｌｉ、Ｎａ、Ｋ、Ｒｂ、Ｃｓ）イオン、アルカリ土類金属（Ｃａ、Ｓｒ、Ｂａ、Ｒａ）イオン、及び、ハロゲン化物イオン（フッ素イオン、クロライドイオン、臭素イオン、ヨウ素イオン）を含まないものが好ましい。【００４２】
これらの高分子電解質７は、いずれも水溶性あるいは水と有機溶媒との混合液に可溶なものである。高分子電解質７の分子量としては、用いる高分子電解質７の種類により一概には定めることができないが、一般に、３００〜２００，０００程度のものが好ましい。なお、溶液中の高分子電解質７の濃度は、一般に、０．０１〜１０質量％程度が好ましい。また、高分子電解質溶液のｐＨは、特に限定されない。【００４３】
本発明で使用する高分子電解質溶液は、一般的に、水または水と水溶性の有機溶媒との混合溶媒に高分子電解質７を溶解したものである。使用できる水溶性の有機溶媒としては、例えば、メタノール、エタノール、プロパノール、アセトン、ジメチルホルムアミド、アセトニトリルなどが挙げられる。【００４４】
これらの高分子電解質７を用いることにより、導電粒子６の表面に欠陥なく均一に高分子電解質薄膜を形成することができ、回路電極間隔が狭ピッチでも絶縁性を十分に確保することができ、電気的に接続すべき対向する電極間では接続抵抗が低く良好な電気的接続を得ることができる。【００４５】
無機酸化物微粒子８としては、ケイ素、アルミニウム、ジルコニウム、チタン、ニオブ、亜鉛、錫、セリウム及びマグネシウムからなる群より選択される少なくとも一種の元素を含む酸化物からなるものが好ましく、これらは単独で又は二種類以上を混合して使用することができる。さらに、これらの中でも絶縁性に優れることから、粒子径を制御した水分散コロイダルシリカ（ＳｉＯ２）が最も好ましい。このような無機酸化物微粒子８の市販品としては、例えば、スノーテックス、スノーテックスＵＰ（以上、日産化学工業社製）、クオートロンＰＬシリーズ（扶桑化学工業社製）等が挙げられる。十分な絶縁信頼性を得る観点からは、分散溶液中のアルカリ金属イオン及びアルカリ土類金属イオンの合計の濃度が１００ｐｐｍ以下であることが望ましい。また、金属アルコキシドの加水分解反応、いわゆるゾルゲル法により製造される無機酸化物微粒子が好ましく用いられる。【００４６】
無機酸化物微粒子８の大きさは、ＢＥＴ法による比表面積換算法またはＸ線小角散乱法で測定された平均粒子径が、２０ｎｍから５００ｎｍであることが好ましい。無機酸化物微粒子８の平均粒子径が２０ｎｍ未満であると、導電粒子６に吸着された無機酸化物微粒子８が絶縁膜として十分に機能せず、一部にショートが発生しやすくなる傾向がある。一方、平均粒子径が５００ｎｍを超えると、接続時の加圧方向の導電性が不十分となる傾向がある。【００４７】
また、異方導電性接着剤組成物における被覆粒子１の含有量は、異方導電性接着剤組成物中の固形分の全体積を基準として０．１〜３０体積％であることが好ましく、０．２〜１５体積％であることがより好ましい。この含有量が０．１体積％未満であると、導電性が低下する傾向があり、３０体積％を超えると、絶縁性が低下する傾向がある。【００４８】
本発明の異方導電性接着剤組成物には、上記被覆粒子１とは別に、無機質充填材を混入・分散することができる。無機質充填材としては、特に限定されるものではなく、例えば、溶融シリカ、結晶質シリカ、ケイ酸カルシウム、アルミナ、炭酸カルシウム等の粉体が挙げられる。無機質充填材の配合量は、接着剤１００質量部に対して１０〜２００質量部であることが好ましい。異方導電性接着剤組成物の熱膨張係数を低下させるには、無機質充填材の配合量が大きいほど効果的であるが、多量に配合しすぎると接着性や接続部での接着剤の排除性低下に基づく導通不良が発生しやすくなる傾向があり、配合量が少なすぎると熱膨張係数を充分に低下させることができないため、配合量は接着剤１００質量部に対して２０〜９０質量部であることがより好ましい。また、無機質充填材の平均粒径は、接続部での導通不良を防止する観点から、３μｍ以下であることが好ましい。また、接続時の樹脂の流動性の低下及びチップのパッシベーション膜のダメージを防ぐ観点から、球状フィラーを用いることが望ましい。無機質充填材は、被覆粒子１と共に用いることもでき、また、異方導電性接着剤組成物を用いて異方導電性フィルムを形成し、接着剤層を多層化した場合に、被覆粒子１が使用されない層に混入・分散することもできる。【００４９】
図３は、本発明の異方導電性フィルム（回路接続用接着フィルム）の好適な一実施形態を示す模式断面図である。図３に示す異方導電性フィルム１００は、被覆粒子１と接着剤２とを含む異方導電性接着剤組成物をフィルム状に形成してなるものである。【００５０】
異方導電性フィルム１００は、例えば、液状の異方導電性接着剤組成物を離型性フィルム上にロールコータ等で塗布し、乾燥させた後、離型性フィルムから剥離することにより得ることができる。離型性フィルムとしては、離型性を有するように表面処理されたＰＥＴフィルム等が好適に用いられる。【００５１】
また、異方導電性フィルム１００においては、接着剤層を多層化することもできる。例えば、異方導電性を付与するために被覆粒子を含有させた接着剤層と、被覆粒子や導電粒子を含まない接着剤層とをラミネートしてなる二層構成の異方導電性フィルムや、被覆粒子を含有させた接着剤層の両側に被覆粒子や導電粒子を含まない接着剤層をラミネートした三層構成の異方導電性フィルムとすることができる。これらの多層構成の異方導電性フィルムは、接続電極上で効率良く導電粒子を捕獲できるため、狭ピッチ接続に有利である。また、回路部材との接着性を考慮して、対向する回路部材のそれぞれに対して接着性に優れる接着フィルムをラミネートしてから、回路部材同士の接続を行うこともできる。【００５２】
図４は、本発明による回路部材の接続構造の好適な一実施形態を示す模式断面図である。図４に示す回路部材の接続構造２００は、第一の基板１１及びその主面上に形成された第一の回路電極１２を有する第一の回路部材１０と、第二の基板２１及びその主面上に形成された第二の回路電極２２を有する第二の回路部材２０とが、上記本発明の異方導電性接着剤組成物又は異方導電性フィルム１００が硬化した硬化物からなり第一及び第二の回路部材１０，２０の間に形成された回路接続部材１００ａによって接続されたものである。回路部材の接続構造２００においては、第一の回路電極１２と第二の回路電極２２とが対峙するとともに電気的に接続されている。【００５３】
回路接続部材１００ａは、本発明の異方導電性接着剤組成物又は異方導電性フィルム１００が硬化した硬化物からなるものであり、上述した接着剤２の硬化物２ａ及びこれに分散している被覆粒子１を含んでいる。そして、第一の回路電極１２と第二の回路電極２２とは、被覆粒子１を介して電気的に接続されている。【００５４】
第一及び第二の回路部材１０，２０としては、電気的接続を必要とする電極が形成されているものであれば特に制限はない。具体的には、液晶ディスプレイに用いられているＩＴＯ等で電極が形成されているガラス又はプラスチック基板、プリント配線板、セラミック配線板、フレキシブル配線板、半導体シリコンチップ等が挙げられ、これらは必要に応じて組み合わせて使用される。このように、本実施形態では、プリント配線板やポリイミド等の有機物からなる材質をはじめ、銅、アルミニウム等の金属やＩＴＯ（ｉｎｄｉｕｍ  ｔｉｎ  ｏｘｉｄｅ）、窒化ケイ素（ＳｉＮＸ）、二酸化ケイ素（ＳｉＯ２）等の無機材質のように多種多様な表面状態を有する回路部材を用いることができる。【００５５】
回路部材の接続構造２００は、例えば、第一の回路部材１０と、上記本発明の異方導電性フィルム１００と、第二の回路部材２０とを、第一の回路電極１１と第二の回路電極２１とが対峙するようにこの順に積層して加熱及び加圧することにより、第一の回路電極１１と第二の回路電極２１とが電気的に接続されるように第一の回路部材１０と第二の回路部材２０とを接続する方法によって得られる。【００５６】
この方法においては、まず、剥離性基材上に形成されている異方導電性フィルム１００を第二の回路部材２０上に貼り合わせた状態で加熱及び加圧して異方導電性フィルム１００を仮接着し、剥離性基材（離型性フィルム）を剥離してから、第一の回路部材１０を回路電極を位置合わせしながら載せて、第二の回路部材２０、異方導電性フィルム１００及び第一の回路部材１０がこの順に積層された積層体を準備することができる。【００５７】
上記積層体を加熱及び加圧する条件は、異方導電性フィルム１００中の接着剤２の硬化性等に応じて、異方導電性フィルムが硬化して十分な接着強度が得られるように、適宜調整される。
【実施例】
【００５８】
以下、本発明を実施例により更に具体的に説明するが、本発明はこれらの実施例に限定されるものではない。【００５９】
［実施例１］
（被覆粒子の作製）
樹脂粒子（平均粒子径３μｍのポリスチレン系球状樹脂粒子、Ｍｅｒｃｋ  Ｃｈｉｍｅ社製、商品名：エスタポールＬ３００）の表面に、無電解ニッケルめっきにより厚さ９０ｎｍのニッケル皮膜を設け、更にそのニッケル皮膜上に、置換金めっきにより厚さ３０ｎｍの金皮膜を設けることにより、導電粒子としての金属膜被覆導電樹脂粒子を得た。【００６０】
次に、得られた導電粒子の表面を、以下の方法で絶縁性材料により被覆した。高分子電解質としては、カチオン性ポリマーであるポリエチレンイミンを、無機酸化物微粒子としてはシリカをそれぞれ用いた。まず、ポリエチレンイミン水溶液（濃度３０質量％、日本触媒社製、商品名：エポミンＰ１０００）を超純水（１８ＭΩ・ｃｍ）で希釈して、濃度０．３質量％に調整した。また、コロイダルシリカ分散液（濃度２０質量％、扶桑化学工業社製、商品名：クオートロンＰＬ−１３、平均粒子径１３０ｎｍ）も超純水（１８ＭΩ・ｃｍ）で希釈して、濃度０．１質量％に調整した。なお、このコロイダルシリカ分散液中のシリカ微粒子の表面電位（ゼータ電位）は−２０ｍＶであった。【００６１】
上記導電粒子２ｇを上記ポリエチレンイミン水溶液（濃度０．３質量％）２００ｇ中に加えて１５分間攪拌することで、導電粒子の表面にポリエチレンイミンを吸着させた高分子電解質被覆粒子を作製した。その後、孔径１μｍのメンブレンフィルタ（ミリポア社製）で高分子電解質被覆粒子を濾別し、これをメンブレンフィルタ上で２００ｇの超純水により２回洗浄することで、吸着されていないポリエチレンイミンを除去した。次に、メンブレンフィルタから回収した高分子電解質被覆粒子を、上記コロイダルシリカ分散液（濃度０．１質量％）２００ｇ中に加えて１５分間攪拌することで、高分子電解質被覆粒子の表面にシリカ微粒子を吸着させた被覆粒子を作製した。その後、上記と同様の孔径１μｍのメンブレンフィルタで被覆粒子を濾別し、これをメンブレンフィルタ上で２００ｇの超純水により２回洗浄することで、吸着されていないコロイダルシリカ微粒子を除去した。更に、水を除去するために、イソプロピルアルコール２００ｇで被覆粒子の洗浄を行った。その後、メンブレンフィルタから回収した被覆粒子を８０℃のオーブン内に１時間保管し、イソプロピルアルコールを蒸発させた。この結果、導電粒子の表面に、絶縁性材料として、ポリエチレンイミンと平均粒子径１３０ｎｍのコロイダルシリカとが交互に吸着されてなる被覆粒子を得た。【００６２】
（異方導電性接着剤組成物の作製）
接着剤溶液を以下の手順で作製した。まず、フェノキシ樹脂（ユニオンカーバイド社製、商品名：ＰＫＨＣ）１００ｇと、アクリルゴム（ブチルアクリレート４０質量部、エチルアクリレート３０質量部、アクリロニトリル３０質量部及びグリシジルメタクリレート３質量部の共重合体、重量平均分子量：８５万）７５ｇとを酢酸エチル４００ｇに溶解し、固形分３０質量％の樹脂溶液を得た。次いで、マイクロカプセル型潜在性硬化剤を含有する液状エポキシ樹脂（エポキシ当量１８５、旭化成エポキシ株式会社製、商品名：ノバキュアＨＸ−３９４１）３００ｇを上記樹脂溶液に加えて撹拌することで、接着剤溶液を作製した。【００６３】
次に、上記被覆粒子を上記接着剤溶液に、当該接着剤溶液中の固形分１００体積部に対して被覆粒子が９体積部となるように分散し、異方導電性接着剤組成物の溶液を得た。【００６４】
（異方導電性フィルムの作製）
得られた溶液をセパレータ（シリコーン処理したポリエチレンテレフタレートフィルム、厚さ４０μｍ）上にロールコータで塗布し、９０℃で１０分間乾燥して、厚さ２５μｍの異方導電性接着剤層を形成した。これにより、異方導電性フィルムを得た。【００６５】
（回路部材の接続構造の作製）
金バンプ（面積：３０×９０μｍ、スペース：１０μｍ、高さ：１５μｍ、バンプ数：３６２）付きチップ（１．７×１．７ｍｍ、厚さ：０．５μｍ）と、Ａｌ回路付きガラス基板（厚さ：０．７ｍｍ）との接続を、以下に示す手順で行った。まず、上記異方導電性フィルム（２×１９ｍｍ）をＡｌ回路付きガラス基板に、８０℃、０．９８ＭＰａ（１０ｋｇｆ／ｃｍ２）の条件で加熱及び加圧することで貼り付けた後、異方導電性フィルムからセパレータを剥離し、チップの金バンプとＡｌ回路との位置合わせを行った。【００６６】
次いで、１９０℃、４０ｇ／バンプ、１０秒間の条件で、チップ上方から加熱及び加圧を行い、本接続を行った。これにより、回路部材の接続構造を作製した。得られた回路部材の接続構造において、接続抵抗は、１バンプ当たり最高で１００ｍΩ、平均で３０ｍΩであり、隣接するバンプ間の絶縁抵抗は全て１×１０８Ω以上であった。また、これらの値は、−４０℃で３０分間保持した後に１００℃まで昇温して１００℃で３０分間保持する熱衝撃試験を１０００サイクル行なった後でも変化がなく、良好な長期接続信頼性を示すことが確認された。【００６７】
［比較例１］
被覆粒子に代えて、絶縁性材料で表面を被覆していない実施例１と同じ金属膜被覆導電樹脂粒子を導電粒子として用いたこと以外は実施例１と同様にして、異方導電性フィルムを作製した。【００６８】
次に、作製した異方導電性フィルムを用いて、金バンプ（面積：４０×９０μｍ、スペース：１０μｍ、高さ：１５μｍ、バンプ数：３６２）付きチップ（１．７×１．７ｍｍ、厚さ：０．５μｍ）と、Ａｌ回路付きガラス基板（厚さ：０．７ｍｍ）との接続を、以下に示す手順で行った。【００６９】
まず、異方導電性フィルム（２×１９ｍｍ）をＡｌ回路付きガラス基板に、８０℃、０．９８ＭＰａ（１０ｋｇｆ／ｃｍ２）の条件で加熱及び加圧することで貼り付けた後、異方導電性フィルムからセパレータを剥離し、チップの金バンプとＡｌ回路との位置合わせを行った。【００７０】
次いで、１９０℃、４０ｇ／バンプ、１０秒間の条件で、チップ上方から加熱及び加圧を行い、本接続を行った。これにより、回路部材の接続構造を作製した。得られた回路部材の接続構造において、接続抵抗は、１バンプ当たり最高で１３０ｍΩ、平均で８０ｍΩであったが、隣接するバンプ間の絶縁性が十分に確保されず、一部のバンプ間で導電粒子の凝集に伴うショートが発生した。【００７１】
本発明の異方導電性接着剤組成物によれば、導電粒子の表面が均一に高分子電解質薄膜及び無機酸化物微粒子により被覆された被覆粒子を用いているため、隣接する電極間のスペースが１５μｍ以下の狭スペースにおいて被覆粒子が凝集しても、高分子電解質と無機酸化物微粒子を含む絶縁性皮膜によって導電粒子間のショート発生が抑制でき、狭ピッチ接続性を向上させることができる。また、フィルム状の接着剤では、取り扱い性にも優れている。【００７２】
したがって、本発明の異方導電性接着剤組成物は、（１）ＬＣＤ、プラズマディスプレイや有機ＥＬパネルとＴＡＢまたはＦＰＣ、（２）ＴＡＢとＦＰＣ、（３）ＬＣＤ、プラズマディスプレイや有機ＥＬパネルとＩＣチップ、（４）ＩＣチップとプリント基板、などを接続時の加圧方向にのみ電気的に接続するために好適に用いることができ接続信頼性にも優れる。
【産業上の利用可能性】
【００７３】
以上説明したように、本発明によれば、接続ピッチが狭ピッチになった場合でも、分散した導電粒子の凝集により隣り合う回路電極間でショートが発生することを十分に抑制することができ、優れた長期接続信頼性を得ることができる異方導電性接着剤組成物、それを用いた異方導電性フィルム、回路部材の接続構造、及び、被覆粒子の製造方法を提供することができる。
【図１】
2008038565.tif 000003
【図２】
2008038565.tif 000004
【図３】
2008038565.tif 000005
【図４】
2008038565.tif 000006
【国際調査報告】
2008038565.tif 000007
2008038565.tif 000008
2008038565.tif 000009
2008038565.tif 000010